(57)【要約】【課題】電気機器の点数の削減を図り、ケーブルコード等の引き回しも簡略化して、各種電気機器の配置をすっきりとまとめることができ、しかも、コスト削減と利便性を高めることのできるコードレスポインティングデバイスの充電機器を提供する。【解決手段】コードレスポインティングデバイス２との間で各種の無線情報信号を受信可能とされた信号受信部３を備え、コンピュータ１１にケーブル接続されることにより、前記コンピュータ１１のＣＰＵと前記信号受信部３とが接続されるとともに充電用電力が供給されるように構成する。【選択図】      図１
2004348196.tif 000002
【特許請求の範囲】
【請求項１】
コードレスポインティングデバイスに充電するための充電機器であって、前記コードレスポインティングデバイスとの間で各種の無線情報信号を受信可能とされた信号受信部を備え、コンピュータにケーブル接続されることにより、前記コンピュータのＣＰＵと前記信号受信部とが接続されるとともに充電用電力が供給されるように構成されていることを特徴とするコードレスポインティングデバイスの充電機器。
【請求項２】
コードレスポインティングデバイスに充電するための充電機器であって、ポインティングデバイス自体としての機能と前記コードレスポインティングデバイスとの間で各種の情報無線信号を送受信する信号受信部とを備え、コンピュータにケーブル接続されることにより、前記コンピュータのＣＰＵと前記信号受信部とが接続されるとともに、ポインティングデバイス自体として機能するための電力および充電用電力が供給されるように構成されていることを特徴とするコードレスポインティングデバイスの充電機器。
【発明の詳細な説明】
【０００１】
【発明の属する技術分野】
本発明は、無線マウスのようなコードレスポインティングデバイスに充電するためのコードレスポインティングデバイスの充電機器に関する。
【０００２】
【従来の技術】
近年、無線デバイスとして、コードレスポインティングデバイスやコードレスキーボードなどが開発され、市場に提供されている。前記コードレスポインティングデバイスとしては、具体的には、機械式や光学式の無線マウスを例示することができる。
【０００３】
図４は、前記コードレスポインティングデバイスとして前記無線マウス３を用いる場合の各種電気機器（デバイス）の配置接続関係を簡略図示したものである。
【０００４】
前記無線マウス３から送信される各種の情報信号等の処理を制御するＣＰＵ（図示せず）を搭載するコンピュータ１１には、前記無線マウス３からの情報信号を無線送受信するための信号受信部３を有する信号レシーバ１２が物理的に接続されている。前記信号受信部３は、前記無線マウス２から無線送信される情報信号を受信して前記ＣＰＵに格納するように構成されている。なお、前記信号受信部３については、公知のフォトダイオード、変復調回路を備えたパッケージモジュールを例示することができる。
【０００５】
一方、前記無線マウス２は、前記信号レシーバ１２の信号受信部３との間で無線通信可能とされた範囲内に配置されており、内蔵する二次電池（図示せず）を用いてコードレス状態でマウスとして使用し、また、使用していない時には、ＡＣ電源に接続された公知の構成を有する充電機器１に所定の状態でセットすることにより、前記二次電池に充電するように構成されている。なお、当該無線マウス２には、前記コンピュータ１１に接続された信号レシーバ１２の信号受信部３に情報信号を無線送信するための信号送信部５が配設されている。前記信号送信部５としては、公知の赤外線ＬＥＤなどを例示することができる。
【０００６】
【特許文献１】
特開平４−３６７０２１号公報
【特許文献２】
特開２０００−２４２４２３号公報
【０００７】
【発明が解決しようとする課題】
しかしながら、前述のような各種電気機器１，１１，１２の配置関係となる場合、電源もコンピュータ用と充電機器用との２つを必要とし、電気機器の点数も多くなるため、省スペース化、コスト削減の観点からは改良の余地があった。
【０００８】
そこで、本発明は、電気機器の点数の削減を図り、ケーブルコード等の引き回しも簡略化して、各種電気機器の配置をすっきりとまとめることができ、しかも、コスト削減と利便性を高めることのできるコードレスポインティングデバイスの充電機器を提供することを目的とするものである。
【０００９】
【課題を解決するための手段】
前述した目的を達成するため、本発明のコードレスポインティングデバイスの充電機器は、コードレスポインティングデバイスとの間で各種の無線情報信号を受信可能とされた信号受信部を備え、コンピュータにケーブル接続されることにより、前記コンピュータのＣＰＵと前記信号受信部とが接続されるとともに充電用電力が供給されるように構成されていることを特徴とする。
【００１０】
このように構成されたコードレスポインティングデバイスの充電機器によれば、従来の構成における、コンピュータに接続された、信号受信部を有する無線デバイスと充電機器との２つの電気機器を１つの電気機器としてまとめることができるので、部品点数を減らして低コスト化を図ることができるし、また、電気機器の配置やケーブル配線もすっきりさせて、省スペース化することができる。
【００１１】
また、別のコードレスポインティングデバイスの充電機器は、ポインティングデバイス自体としての機能と前記コードレスポインティングデバイスとの間で各種の情報無線信号を送受信する信号受信部とを備え、コンピュータにケーブル接続されることにより、前記コンピュータのＣＰＵと前記信号受信部とが接続されるとともに、ポインティングデバイス自体として機能するための電力および充電用電力が供給されるように構成されていることを特徴とする。
【００１２】
このように構成されたコードレスポインティングデバイスの充電機器によっても、部品点数を減らして低コスト化を図ることができ、また、電気機器の配置もすっきりと省スペース化することができ、さらに、充電機器自体にポインティングデバイスとしての機能があるので、前記コードレスポインティングデバイスが未充電の場合には、前記充電機器をポインティングデバイスとして使用しつつ、前記コードレスポインティングデバイスの充電を行なうことができるので、利便性が高くなる。
【００１３】
【発明の実施の形態】
以下、本発明のコードレスポインティングデバイスの充電機器について、２つの実施形態を用いて説明する。なお、以下の２つの実施形態において、各種電気機器の構成については、公知の構成と特に変わるものでない限り、その説明を省略する。
【００１４】
図１は、本発明のコードレスポインティングデバイスの充電機器１の第１実施形態における使用状態として、前記コードレスポインティングデバイスとしての無線マウス２を用いる場合における、コンピュータ１１と前記充電機器１の配置接続関係を簡略図示したものである。
【００１５】
本実施形態において、前記充電機器１は、信号受信部３を有する無線デバイスとして形成されている。すなわち、充電機器１として公知の基本的な構成に、さらに、前記無線マウス２との間で各種の無線情報信号を受信可能とされた信号受信部３を備えている。そして、前記充電機器１は、接続対象（本実施形態においてはコンピュータ１１）との間で信号の送受信を行うための２本の信号線と前記接続対象から電源を供給するための２本の電源線（＋５Ｖ線とＧＮＤ線）とを有するＵＳＢケーブル４を用いて前記コンピュータ１１にケーブル接続され、前記コンピュータ１１のＣＰＵ（図示せず）と前記信号受信部３とが接続されるとともに、充電用電力が供給されるように構成されている。
【００１６】
そして、前記無線マウス２を使用する場合、前記充電機器１は、前記無線マウス２の信号送信部５から送信される無線情報信号を前記信号受信部３で受信し、その無線情報信号を前記ＵＳＢケーブル４を介してコンピュータ１１のＣＰＵへ格納するように機能する。また、前記無線マウス２に充電を行なう場合は、前記充電機器１の無線マウス２の載置部６に形成された充電用端子７に前記無線マウス２に形成された充電用端子（図示せず）を接続させるようにして前記無線マウス２をセットし、前記コンピュータ１１から前記ＵＳＢケーブル４を介して供給される電力を用いて必要な充電を行なう。
【００１７】
このように構成された前記充電機器１によれば、無線デバイスの部品点数を減らすことができるので、低コスト化を図ることができるし、また、電気機器の配置やケーブル配線もすっきりとさせて、省スペース化することができる。
【００１８】
さらに、図２は、本発明のコードレスポインティングデバイスの充電機器１の第２実施形態における使用状態として、前記コードレスポインティングデバイスとしての無線マウス２を用いる場合における、コンピュータ１１と充電機器１の配置接続関係を簡略図示したものである。
【００１９】
本実施形態において、前記充電機器１は、前記信号受信部３を有するとともに、ポインティングデバイスとしての機能をも有する無線デバイスとして形成されている。すなわち、従来からの充電機器１としての構成に、前記無線マウス２との間で各種の無線情報信号を受信可能とされた信号受信部３を備え、さらに、前記コンピュータ１１と接続されたマウスとしての機能をも備えている。
【００２０】
そして、前記充電機器１は、接続対象（本実施形態においては、コンピュータ１１）との間で信号の送受信を行うための前記ＵＳＢケーブル４を用いて前記コンピュータ１１にケーブル接続され、前記コンピュータ１１のＣＰＵ（図示せず）と前記信号受信部３とが接続されるとともに、マウスとして機能するための電力および充電用電力の供給を受けるように構成されている。本実施形態において、前記ＵＳＢケーブル４は、充電機器１をマウスとして利用する際のケーブルとしても用いられることとなる。
【００２１】
なお、図３は、第２実施形態の充電機器１の前記無線マウス２をセットしていない状態を示す平面図および無線マウス２の平面図を示しており、前記充電機器１の上面を前記無線マウス２の載置部６とし、前記載置部６に充電用端子７を形成している。なお、前記充電機器１の構成はこの構成に限るものではない。
【００２２】
そして、前記無線マウス２を使用する場合、前記充電機器１は、前記無線マウス２の信号送信部５から送信される無線情報信号を前記信号受信部３で受信し、その無線情報信号を前記ＵＳＢケーブル４を介してコンピュータ１１のＣＰＵへ格納するように機能する。また、前記無線マウス２に充電を行なう場合は、前記充電機器１の無線マウス２の載置部６に形成された充電用端子７に、無線マウス２に形成された充電用端子（図示せず）を接続させるようにして前記無線マウス２を充電機器１の上面に載置し、前記コンピュータ１１から前記ＵＳＢケーブル４を介して供給される電力を用いて必要な充電を行なう。また、前記充電機器１をマウスとして用いる場合には、前記充電機器１に配設されているマウスコントローラ（図示せず）から前記ＵＳＢケーブル４を介して、マウスの移動方向や距離等に関する情報信号をコンピュータ１１のＣＰＵへ格納するように機能する。
【００２３】
このように構成された前記充電機器１によっても、部品点数を減らして低コスト化を図ることができるし、また、電気機器の配置もすっきりと省スペース化することができ、さらに、充電機器１自体にポインティングデバイスとしての機能があるので、前記無線マウス２が未充電の場合には、前記充電機器１をマウスとして使用しつつ、前記無線マウス２の充電を行なうこともできるので、利便性が高くなる。
【００２４】
なお、本発明は、前述した実施の形態に限定されるものではなく、必要に応じて種々の変更が可能である。
【００２５】
【発明の効果】
以上説明したように、本発明は、電気機器の点数の削減を図り、ケーブルコード等の引き回しも簡略化して、各種電気機器の配置をすっきりまとめることができるし、しかも、コスト削減と利便性を高めることができるといった優れた効果を奏する。
【図面の簡単な説明】
【図１】本発明の第１実施形態の充電機器と無線マウスおよびコンピュータの配置接続関係の簡略説明図
【図２】本発明の第２実施形態の充電機器と無線マウスおよびコンピュータの配置接続関係の簡略説明図
【図３】図２の充電機器の平面図
【図４】従来の充電機器と無線マウスおよびコンピュータの配置接続関係の簡略説明図
【符号の説明】
１  充電機器
２  無線マウス
３  信号受信部
４  ＣＳＢケーブル
５  信号送信部
６  載置部
７  充電用端子
１１  コンピュータ
１２  レシーバ
【図１】
2004348196.tif 000003
【図２】
2004348196.tif 000004
【図３】
2004348196.tif 000005
【図４】
2004348196.tif 000006